(57)【要約】【課題】本発明では、リモコン装置を利用したチャンネル切替操作の際の画面の映像切替を、従来技術のように、同様の手法で一律に行うことにより生じる問題を解決する手段を備えたテレビ装置および、テレビ装置とリモコン装置からなるテレビシステムを提供することを課題とする。【解決手段】リモコン装置からチャンネル切替の指示信号を受信すると、その指示信号がいずれのチャンネル切替ボタンの押下によりなされたものか判別し、判別した結果に応じた様々な態様で、チャンネル切替にともなう画面上の映像の切替処理を行うテレビ装置、および、テレビ装置とリモコン装置とからなるテレビシステムを提供する。【選択図】図３
2010074299.tif 000002
【特許請求の範囲】
【請求項１】
チャンネル切替のための複数のボタン群を有する選択部と、
リモコン操作結果を送信するための送信部と、
を有するリモコン装置と、
リモコン装置からのリモコン操作結果を受信する受信部と、
受信部で受信したリモコン操作結果のリモコン操作種別を判定する判定部と、
リモコン操作結果に応じた映像切替処理を、判定部で判定したリモコン操作種別に応じた映像切替遷移で行う表示制御部と、
を有するテレビ装置と、
からなるテレビシステム。
【請求項２】
リモコン装置の選択部が有するチャンネル切替のための複数のボタン群の一部は、直接チャンネル指定ボタンであり、
テレビ装置の表示制御部は、
リモコン操作種別が直接チャンネル指定ボタンの操作であるとの判定結果である場合には、リモコン操作結果に応じた映像切替処理を、元チャンネル映像が画面中央に向けて縮小し、新チャンネル映像が画面中央から拡大するように制御する第一表示制御手段を有する請求項１に記載のテレビシステム。
【請求項３】
リモコン装置の選択部が有するチャンネル切替のための複数のボタン群の一部は、ＵＰ切替ボタンであり、
テレビ装置の表示制御部は、
リモコン操作種別がＵＰ切替ボタンの操作であるとの判定結果である場合には、リモコン操作結果に応じた映像切替処理を、元チャンネル映像が画面下から上に向かって徐々に隠れていき、新チャンネル映像が画面下から上に向かって徐々に現れるように制御する第二表示制御手段を有する請求項１または２に記載のテレビシステム。
【請求項４】
リモコン装置の選択部が有するチャンネル切替のための複数のボタン群の一部は、ＤＯＷＮ切替ボタンであり、
テレビ装置の表示制御部は、
リモコン操作種別がＤＯＷＮ切替ボタンの操作であるとの判定結果である場合には、リモコン操作結果に応じた映像切替処理を、元チャンネル映像が画面上から下に向かって徐々に隠れていき、新チャンネル映像が画面上から下に向かって徐々に現れるように制御する第三表示制御手段を有する請求項１から３のいずれか一に記載のテレビシステム。
【請求項５】
リモコン装置の選択部が有するチャンネル切替のための複数のボタン群の一部は、左右方向に配列された放送種別選択ボタンであり、
テレビ装置の表示制御部は、
リモコン操作種別が、元放送種別の選択ボタン位置からみて右側の放送種別選択ボタンの操作であるとの判定結果である場合には、リモコン操作結果に応じた映像切替処理を、元放送種別の映像が画面左から右に向かって徐々に隠れていき、新放送種別の映像が画面左から右に向かって徐々に現れるように制御する第四表示制御手段部を有する請求項１から４のいずれか一に記載のテレビシステム。
【請求項６】
リモコン装置の選択部が有するチャンネル切替のための複数のボタン群の一部は、左右方向に配列された放送種別選択ボタンであり、
テレビ装置の表示制御部は、
リモコン操作種別が、元放送種別の選択ボタン位置からみて左側の放送種別選択ボタンの操作であるとの判定結果である場合には、リモコン操作結果に応じた映像切替処理を、元放送種別の映像が画面右から左に向かって徐々に隠れていき、新放送種別の映像が画面右から左に向かって徐々に現れるように制御する第五表示制御手段を有する請求項１から５のいずれか一に記載のテレビシステム。
【請求項７】
請求項１から請求項６のいずれか一に記載のテレビ装置。
【発明の詳細な説明】
【技術分野】
【０００１】
本発明は、テレビ装置とリモコン装置とからなるテレビシステムに関し、特に、リモコン装置からチャンネル切替の指示信号を受信すると、従来にない態様で画面に表示される映像の切替処理を行うテレビ装置を有するテレビシステムに関する。
【背景技術】
【０００２】
現在、テレビ装置を操作する手段としてはリモコン装置の利用が主流となっている。ユーザはリモコン装置を操作することで、テレビ装置の画面に出力される番組のチャンネル（１ＣＨ、３ＣＨ、４ＣＨ、など）を選択したり、放送種別（地上アナログ、地上デジタル、ＣＳ、ＢＳ、など）を選択したりする。
【０００３】
ここで、図１に示すように、リモコン装置には、チャンネル切替のための操作ボタンとして、（１）チャンネルや放送種別を直接指定するためのボタン（０１０１：「数字や放送種別が関連付けられたボタン、など」）や、（２）チャンネルを順次切替えるためのボタン（０１０２：「上下方向が関連付けられたボタン、など」）など、複数種類の操作ボタンを備えているものが多く見られる。（１）の操作ボタンは、視聴したい番組が決まっている場合など、一発で特定のチャンネルや放送種別を選択する時などに利用される。（２）の操作ボタンは、視聴したい番組が決まっていない場合など、すべてのチャンネルの番組内容に一通り目を通したい時などに利用される。このように、複数種類の操作ボタンを備えたリモコン装置を利用することで、その時にあったスタイルでチャンネル切替を行うことが可能となり、非常に利便性の高いテレビシステムとなっている。
【０００４】
しかしながら、従来のテレビ装置は、前記リモコン装置に設けられた複数種類のチャンネル切替ボタンのうち、いずれのボタンの操作によるチャンネル切替信号を受付けた場合でも、同様の手法により画面に表示される映像の切替を行っていた。具体的には、「元チャンネルの映像のすべてを略同時に消去」→「画面を黒く表示」→「新チャンネルの映像のすべてを略同時に表示」、の処理により画面に表示される映像の切替を行っていた。かかる場合、以下のような問題が生じうる。
【０００５】
第一に、前記のような映像の切替処理の場合、テレビ装置の画面の表示内容からは、どのチャンネル切替ボタンを押下してチャンネルを切替えたのか識別できないという問題がある。一般的に、リモコン操作を行うユーザは、テレビ装置の画面を見ながらリモコン装置の操作（ボタンの押下）を行うと考えられる。かかる場合、上下方向が関連付けられたボタン（図１：０１０２）などを利用してチャンネルを順次切替える操作を行うような場合には、連続的にチャンネル切替操作を行っている間に、どの操作ボタンを押下してチャンネル切替操作を行っているのか不明になる場合がある。かかる場合、ユーザはリモコン装置のチャンネル切替ボタンと、テレビ装置の画面の両方を交互に見ながら、チャンネル切替操作を行う必要があり非常に不便である。
【０００６】
第二に、娯楽を提供するテレビ装置でありながら、映像の切替処理において、ユーザが興味を引くような演出効果を全く行っていないという問題がある。
【０００７】
ここで、チャンネル切替時における不都合を回避したテレビ装置の発明としては、特許文献１のような発明がある。しかしながら、特許文献１の発明は、チャンネル切替時に選択したチャンネルがＣＭ放送中のときにそのチャンネルで何を放送しているのか直ぐに分からないという問題を解決するよう構成されたものであり、チャンネル切替時のテレビ装置の画面の映像の切替処理に起因する前記のような問題を解決する手段については全く記載されていない。
【特許文献１】特開２００２−５７９５６
【発明の開示】
【発明が解決しようとする課題】
【０００８】
そこで、本発明では、リモコン操作に応じたチャンネル切替時の画面に表示される映像の切替を、従来技術のように、同様の手法で一律に行うことにより生じうる前記のような問題を解決する手段を備えたテレビ装置および、テレビ装置とリモコン装置からなるテレビシステムを提供することを課題とする。
【課題を解決するための手段】
【０００９】
上記課題を解決するための手段として、以下のような発明などを提供する。
【００１０】
リモコン装置からチャンネル切替の指示信号を受信すると、その指示信号がいずれのチャンネル切替ボタンの押下によりなされたものか判別し、判別した結果に応じた様々な態様で、チャンネル切替にともなう画面上の映像の切替処理を行うテレビ装置、および、テレビ装置とリモコン装置とからなるテレビシステムを提供する。
【００１１】
また、チャンネル切替にともなう画面上の映像の切替処理を従来にない態様で行うことで、ユーザに対する新たな楽しみの提供を実現したテレビ装置、および、テレビ装置とリモコン装置とからなるテレビシステムを提供する。
【００１２】
具体的には、以下のような発明を提供する。
【００１３】
第一発明では、チャンネル切替のための複数のボタン群を有する選択部と、リモコン操作結果を送信するための送信部と、を有するリモコン装置と、リモコン装置からのリモコン操作結果を受信する受信部と、受信部で受信したリモコン操作結果のリモコン操作種別を判定する判定部と、リモコン操作結果に応じた映像切替処理を、判定部で判定したリモコン操作種別に応じた映像切替遷移で行う表示制御部と、を有するテレビ装置と、からなるテレビシステムを提供する。
【００１４】
第二発明では、第一発明を基本とし、さらに、リモコン装置の選択部が有するチャンネル切替のための複数のボタン群の一部は、直接チャンネル指定ボタンであり、テレビ装置の表示制御部は、リモコン操作種別が直接チャンネル指定ボタンの操作であるとの判定結果である場合には、リモコン操作結果に応じた映像切替処理を、元チャンネル映像が画面中央に向けて縮小し、新チャンネル映像が画面中央から拡大するように制御する第一表示制御手段を有するテレビシステムを提供する。
【００１５】
第三発明では、第一発明または第二発明を基本とし、さらに、リモコン装置の選択部が有するチャンネル切替のための複数のボタン群の一部は、ＵＰ切替ボタンであり、テレビ装置の表示制御部は、リモコン操作種別がＵＰ切替ボタンの操作であるとの判定結果である場合には、リモコン操作結果に応じた映像切替処理を、元チャンネル映像が画面下から上に向かって徐々に隠れていき、新チャンネル映像が画面下から上に向かって徐々に現れるように制御する第二表示制御手段を有するテレビシステムを提供する。
【００１６】
第四発明では、第一発明から第三発明のいずれか一を基本とし、さらに、リモコン装置の選択部が有するチャンネル切替のための複数のボタン群の一部は、ＤＯＷＮ切替ボタンであり、テレビ装置の表示制御部は、リモコン操作種別がＤＯＷＮ切替ボタンの操作であるとの判定結果である場合には、リモコン操作結果に応じた映像切替処理を、元チャンネル映像が画面上から下に向かって徐々に隠れていき、新チャンネル映像が画面上から下に向かって徐々に現れるように制御する第三表示制御手段を有するテレビシステムを提供する。
【００１７】
第五発明では、第一発明から第四発明のいずれか一を基本とし、さらに、リモコン装置の選択部が有するチャンネル切替のための複数のボタン群の一部は、左右方向に配列された放送種別選択ボタンであり、テレビ装置の表示制御部は、リモコン操作種別が、元放送種別の選択ボタン位置からみて右側の放送種別選択ボタンの操作であるとの判定結果である場合には、リモコン操作結果に応じた映像切替処理を、元放送種別の映像が画面左から右に向かって徐々に隠れていき、新放送種別の映像が画面左から右に向かって徐々に現れるように制御する第四表示制御手段部を有するテレビシステムを提供する。
【００１８】
第六発明では、第一発明から第五発明のいずれか一を基本とし、さらに、リモコン装置の選択部が有するチャンネル切替のための複数のボタン群の一部は、左右方向に配列された放送種別選択ボタンであり、テレビ装置の表示制御部は、リモコン操作種別が、元放送種別の選択ボタン位置からみて左側の放送種別選択ボタンの操作であるとの判定結果である場合には、リモコン操作結果に応じた映像切替処理を、元放送種別の映像が画面右から左に向かって徐々に隠れていき、新放送種別の映像が画面右から左に向かって徐々に現れるように制御する第五表示制御手段を有するテレビシステムを提供する。
【００１９】
第七発明では、第一発明から第六発明のいずれか一に記載のテレビ装置を提供する。
【発明の効果】
【００２０】
本発明のテレビ装置、および、テレビ装置とリモコン装置からなるテレビシステムにより、リモコン装置によるチャンネル切替操作を行ったユーザは、テレビ装置の画面上の映像切替処理を見ることで、直感的に、自己がチャンネル切替のために行ったリモコン操作の種別（押下したボタンの種別）を把握することが可能となる。
【００２１】
また、チャンネル切替操作にともなうテレビ装置の画面上の映像切替処理を、従来にない新しい態様で行うことで、ユーザに対して新たな楽しみを提供することが可能となる。
【発明を実施するための最良の形態】
【００２２】
以下に、本発明の実施例を説明する。実施例と請求項の相互の関係は、以下のとおりである。実施形態１は主に請求項１、２、７などに関し、実施形態２は主に請求項１、３、７などに関し、実施形態３は主に請求項１、４、７などに関し、実施形態４は主に請求項１、５、７などに関し、実施形態５は主に請求項１、６、７などに関する。なお、本発明はこれら実施例に何ら限定されるものではなく、その要旨を逸脱しない範囲内において、様々な態様で実施しうる。
<実施形態１の概要>
【００２３】
本実施形態のテレビ装置は、リモコン装置からチャンネル切替のための指示信号を受信すると、その指示信号を送信するためのリモコン装置の操作種別（いずれの種別のボタンを押下したか）を判定し、判定結果に応じた態様で、テレビ装置の画面上での映像切替処理を行うことを特徴とする。
【００２４】
特に、本実施形態のテレビ装置は、リモコン装置からチャンネル切替のための指示信号として、直接チャンネルを指定するための「数字が関連付けられたボタン」の押下による指示信号を受信すると、チャンネル切替にともなう画面上の映像切替処理を、図３に示すように、元チャンネル映像が画面中央に向けて縮小し、その後、新チャンネル映像が画面中央から拡大するように表示する態様で映像切替を行うことを特徴とする。
【００２５】
ユーザは、テレビ装置の画面上における図３のような映像切替表示を見ることで、自己が行ったリモコン操作の種別を直感的に把握することが可能となる。また、従来にない映像切替表示を見ることができるので、チャンネル切替が楽しみになる。
<実施形態１の機能的構成>
【００２６】
図２は、本実施形態のテレビシステムの機能ブロックの一例を表す図である。この図にあるように、本実施形態の「テレビシステム」は「リモコン装置」（０２Ａ００）と「テレビ装置」（０２Ｂ００）とからなる。そして、「リモコン装置」（０２Ａ００）は「選択部」（０２Ａ０１）と「送信部」（０２Ａ０２）を有し、「テレビ装置」（０２Ｂ００）は「受信部」（０２Ｂ０１）と「判定部」（０２Ｂ０２）と「表示制御部」（０２Ｂ０３）を有する。なお、「テレビ装置」（０２Ｂ００）の「表示制御部」（０２Ｂ０３）は「第一表示制御手段」を有してもよい。
【００２７】
なお、以下に記載する本装置の機能ブロックは、ハードウェア、ソフトウェア、またはハードウェア及びソフトウェアの両方として実現され得る。具体的には、コンピュータを利用するものであれば、ＣＰＵやＲＡＭ、バス、あるいは二次記憶装置（ハードディスクや不揮発性メモリ、ＣＤ−ＲＯＭやＤＶＤ−ＲＯＭなどの記憶メディアとそれらメディアの読取ドライブなど）、印刷機器や表示装置、その他の外部周辺装置などのハードウェア構成部やその外部周辺機器用のＩ／Ｏポート、それらハードウェアを制御するためのドライバプログラムやその他アプリケーションプログラム、情報入力に利用されるユーザインターフェースなどが挙げられる。
【００２８】
またこれらハードウェアやソフトウェアは、ＲＡＭ上に展開したプログラムをＣＰＵで演算処理したり、メモリやハードディスク上に保持されているデータや、インターフェースを介して入力されたデータなどを加工、蓄積、出力処理したり、あるいは各ハードウェア構成部の制御を行ったりするために利用される。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、及び同製品を記憶媒体に固定した記憶媒体も、当然にこの発明の技術的な範囲に含まれる（本明細書の全体を通じて同様である）。
【００２９】
以下、本実施形態の「テレビシステム」の「リモコン装置」（０２Ａ００）と「テレビ装置」（０２Ｂ００）の機能的構成について説明する。
<<リモコン装置（０２Ａ００>>
【００３０】
本実施形態のリモコン装置（０２Ａ００）は、「選択部」（０２Ａ０１）と「送信部」（０２Ａ０２）を有する。以下、「選択部」（０２Ａ０１）と「送信部」（０２Ａ０２）の機能的構成について説明する。
【００３１】
「選択部」（０２Ａ０１）は、チャンネル切替のための複数のボタン群を有するよう構成される。「チャンネル切替」とは、テレビ装置の画面に出力される番組映像のチャンネル切替のことであり、「チャンネル切替のための複数のボタン群」とは、チャンネルを直接指定しチャンネルを切替えるための「直接チャンネル指定ボタン」や、チャンネルを順次切替えるための「ＵＰ切替ボタン」または「ＤＯＷＮ切替ボタン」や、放送種別を直接指定しチャンネルを切替えるための「放送種別選択ボタン」など、のボタンが少なくとも２種以上集まったものである。以下、「チャンネル切替のための複数のボタン群」のことを、「チャンネル切替ボタン群」という。なお、「チャンネル切替ボタン群」には、前記以外のチャンネル切替ボタンが含まれていてもよい。例えば、放送種別を順次切替えるためのボタン（例、上下または左右のそれぞれが関連付けられた矢印ボタン、など）などが含まれていてもよい。
【００３２】
ここで、「直接チャンネル指定ボタン」、「ＵＰ切替ボタン」、「ＤＯＷＮ切替ボタン」、「放送種別選択ボタン」について、図１のリモコン装置の概要図を用いて説明する。
【００３３】
「直接チャンネル指定ボタン」とは、チャンネルを直接指定するための操作ボタンであり、例えば、図に示すような数字が関連付けられたボタンなどが該当する。当該ボタンを押下することで、それぞれの数字ボタンに関連付けられたチャンネルに直接切替えることができる。
【００３４】
「ＵＰ切替ボタン」、「ＤＯＷＮ切替ボタン」とは、チャンネルを順次切替えるための操作ボタンであり、図の０１０２に示すような上下それぞれの方向が関連付けられたボタンなどが該当する。当該ボタンを押下することで、例えば、チャンネル番号の小さいものから大きいものに順次チャンネルを切替えたり、チャンネル番号の大きいものから小さいものに順次チャンネルを切替えたりすることができる。
【００３５】
「放送種別選択ボタン」とは、放送種別を直接指定するための操作ボタンであり、例えば、図に示すような放送種別（「地上波アナログ」、「地上波デジタル」、「ＢＳ放送」、「ＣＳ放送」など）が関連付けられたボタンが該当する。当該ボタンを押下することで、それぞれのボタンに関連付けられた放送種別のチャンネルに切替えることができる。
【００３６】
ここで、本実施形態の選択部（０２Ａ０１）が有するチャンネル切替のための複数のボタン群の一部は、「直接チャンネル指定ボタン」であるように構成されてもよい。
【００３７】
「送信部」（０２Ａ０２）は、リモコン操作結果を送信するよう構成される。すなわち、送信部（０２Ａ０２）は、ユーザからのリモコン操作（ボタンの押下、など）があると、その操作内容を示す信号であるリモコン操作結果を取得し、以下で説明するテレビ装置（０２Ｂ００）の受信部（０２Ｂ０１）に向けて送信する。リモコン操作結果は、電源をＯＮ／ＯＦＦするような操作結果、チャンネルを切替えるような操作結果、音量を調節するような操作結果、などあらゆるリモコン操作の結果が該当する。
【００３８】
なお、送信のための通信手段としては特段制限ない。すなわち、有線、無線、いずれであってもよいし、また、無線の場合には、赤外線通信、Ｂｌｕｅｔｏｏｔｈ通信などあらゆる通信手段が利用可能である。
<<テレビ装置（０２Ｂ００）>>
【００３９】
本実施形態のテレビ装置（０２Ｂ００）は、「受信部」（０２Ｂ０１）と「判定部」（０２Ｂ０２）と、「表示制御部」（０２Ｂ０３）を有する。なお、「表示制御部」（０２Ｂ０３）は「第一表示制御手段」を有してもよい。以下、「受信部」（０２Ｂ０１）と「判定部」（０２Ｂ０２）と「表示制御部」（０２Ｂ０３）と、「表示制御部」（０２Ｂ０３）の「第一表示制御手段」の機能的構成について説明する。
【００４０】
「受信部」（０２Ｂ０１）は、リモコン装置からのリモコン操作結果を受信するよう構成される。受信部（０２Ｂ０１）は、従来技術を利用して実現することができる。例えば、赤外線通信によりリモコン操作結果を受信する場合には、赤外線受光ＩＣなどで構成することができる。
【００４１】
「判定部」（０２Ｂ０２）は、受信部（０２Ｂ０１）で受信したリモコン操作結果のリモコン操作種別を判定するよう構成される。「リモコン操作結果のリモコン操作種別を判定する」とは、受信部（０２Ｂ０１）で受信したリモコン操作結果が、リモコン装置に設けられた複数の操作ボタン（チャンネル切替ボタン群、電源ボタン、音量調節ボタン、など）の中の、いずれのボタンの操作（押下）によるものかを判定することである。
【００４２】
判定する具体的手段としては、例えば、受信したリモコン操作結果を解析し、リモコン操作指示内容（例：「電源のＯＦＦ操作指示」、「７ＣＨへの切替操作指示」、「ＢＳ放送への切替操作指示」、など）を特定することで、リモコン操作種別（例：「電源ボタンの操作」、「直接チャンネル指定ボタンの操作」、「放送種別切替操作ボタンの操作」、など）を判定してもよい。
【００４３】
リモコン操作指示内容の特定手段としては、例えば、家電製品協会フォーマットに従ったリモコン信号の場合、リモコン装置のそれぞれの操作ボタンに割り当てられたコードのビット列が入るデータコード部のデータ内容を解析することで、受信したリモコン信号による操作指示内容を特定することができる。
【００４４】
リモコン操作種別の特定手段としては、あらかじめ、操作指示内容とリモコン操作種別を関連付けたテーブルを保持しておき、当該テーブルを利用することで実現してもよい。
【００４５】
「表示制御部」（０２Ｂ０３）は、リモコン操作結果に応じた映像切替処理を、判定部で判定したリモコン操作種別に応じた映像切替遷移で行うよう構成される。「リモコン操作結果に応じた映像切替処理」とは、テレビ装置の画面に出力する映像を、リモコン操作前に出力していた映像（以下、「元チャンネル映像」という）から、リモコン操作結果に応じたチャンネルまたは放送種別の映像（以下、「新チャンネル映像」という）に切替えることである。「映像切替遷移」とは、テレビ装置の画面に出力する映像を、元チャンネル映像から新チャンネル映像に切替える際の画面上の表示の移り変わりのことである。
【００４６】
表示制御部（０２Ｂ０３）は、リモコン操作種別に応じたそれぞれの態様の映像切替遷移を行う。これにより、ユーザは、テレビ装置の画面上における映像切替遷移を見ることで、自己が行ったリモコン操作の種別を直感的に識別することができるようになる。
【００４７】
ここで、本実施形態の表示制御部（０２Ｂ０３）は、リモコン操作種別が直接チャンネル指定ボタンの操作であるとの判定結果である場合には、リモコン操作結果に応じた映像切替処理を、元チャンネル映像が画面中央に向けて縮小し、新チャンネル映像が画面中央から拡大するように制御する第一表示制御手段を有するように構成されてもよい。
【００４８】
ここで、図３に、リモコン操作種別が直接チャンネル指定ボタンの操作である場合の映像切替処理の例を示す。図３は、矢印で時間の流れを示している。
【００４９】
図に示すように、第一表示制御手段は、リモコン操作種別が直接チャンネル指定ボタンの操作であるとの判定結果である場合には、まず、元チャンネル映像を画面中央に向けてだんだんに縮小させていき、そして、消滅させる。この間、画面上の元チャンネル映像は、番組映像をそのまま動画で表示していてもよいし、または、番組映像の静止画を表示していてもよい。静止画は、チャンネル切替指示信号を受信時のフレーム映像などにすることができる。
【００５０】
その後、新チャンネル映像を画面中央からだんだんに拡大していき、そして、全画面表示させる。この間、画面上の新チャンネル映像は、番組映像をそのまま動画で表示していてもよい。
【００５１】
なお、元チャンネル映像から新チャンネル映像への映像切替に要する所要時間は任意の設計事項である。しかし、あまり短すぎると、この映像切替の演出効果が薄れてしまう。一方、あまり長すぎると、映像切替の待ち時間が長くなり、ユーザに不快感を与えてしまう恐れがある。そこで、例えば、１．５秒などとしてもよい。
【００５２】
また、映像を隠す機能を有する「塗りつぶし」の色は任意の設計事項であり、黒、灰色、赤、青、白、などあらゆる色を利用することができる。また、単に塗りつぶしにするのでなく、模様を付してもよいし、または、塗りつぶしと文字・図形・写真などを組み合わせた一枚の画像で、チャンネル映像を隠すようにしてもよい。文字としては、例えば、「直接チャンネル指定ボタン操作」、「７ボタン操作」、などの情報であってもよい。また、図形や写真としては、リモコン装置の画像であって、操作されたボタンを点滅などで示したようなものであってもよい。
【００５３】
さらに、塗りつぶし領域の変化は、元チャンネル映像が画面中央に向けて縮小し、新チャンネル映像が画面中央から拡大するようになればよく、例えば、表示されるチャンネル映像は図に示すような四角でなく、丸、三角、星形などであってもよい。
【００５４】
さらに、塗りつぶし以外の領域で表示される映像は、図３のように全画面表示時の縮尺のままで表示していてもよいし、または、塗りつぶし以外の領域においてすべての映像が表示されるように縮尺を小さくして表示してもよい。
【００５５】
本実施形態のような映像切替処理は、例えば、画面に表示される映像のデータが書き込まれるメモリ（ＶＲＡＭ、など）のデータ内容を書きかえることで実現することができる。
【００５６】
<実施形態１のハードウェア構成>
【００５７】
以下、本実施形態のテレビシステムのハードウェア構成の一例を示す。なお、リモコン装置については、従来技術と同様であるので、ここでの説明は省略する。
【００５８】
図４は、本実施形態のテレビ装置の機能的構成をハードウェアとして実現した際の構成の一例を表す図である。図に示すように、本実施形態のテレビ装置は、「受信部」、「判定部」、「表示制御部」、「第一表示制御手段」などを構成する「ＣＰＵ」（０４０１）、「主記憶装置」（０４０２）、「ＶＲＡＭ」（０４０３）、「プログラム記憶装置」（０４０４）、「２次記憶装置」（０４０５）、「ユーザＩ／Ｆ」（０４０６）、「ディスプレイ」（０４０７）、「スピーカー」（０４０８）、「赤外線受光部」（０４０９）、「チューナー」（０４１０）などを備え、これらは「システムバス」（０４１１）などのデータ通信経路によって相互に接続され、情報の送受信や処理を行う。
【００５９】
以下、図４のハードウェア図を用いて、本実施形態のテレビ装置の機能を実現する手段の一例を説明する。
【００６０】
まず、放送電波受信プログラムに従い、チューナ（０４１０）を介して放送電波を受信すると、放送電波処理プログラムに従い、図示しない分離部にて、多重化された情報を分離し、図示しないデコーダにて、分離した各種情報をデコード処理などする。すして、デコード処理などした映像データをＶＲＡＭ（０４０３）に書き込んだ後、ディプレイ（０４０７）から映像を出力する。また、デコード処理などした音声データを利用し、スピーカ（０４０８）を介して音声を出力する。
【００６１】
その後、リモコン信号取得プログラムにより制御されている赤外線受光部（０４０９）より、リモコン操作信号であるリモコン操作結果を受信すると、主記憶装置（０４０２）のデータ領域に格納する。そして、リモコン信号処理プログラムに従い、受信したリモコン操作結果を解析し、２次記憶装置（０４０５）に格納されているリモコンデータコードテーブルを利用して、リモコン操作の操作指示内容を特定する。その後、リモコン操作の操作指示内容とリモコン操作種別を関連付けたリモコン操作種別テーブルなどを利用し、特定した操作指示内容からリモコン操作種別を判定する。すなわち、受信したリモコン操作結果が、リモコン装置のどのボタンの操作（押下）によるものかを判定する。
【００６２】
そして、判定の結果、リモコン操作種別が「直接チャンネル指定ボタンの操作（例：数字が関連付けられたボタンの操作）」であった場合には、第一映像切替プログラムに従い、元チャンネル映像が画面中央に向けて縮小するようにＶＲＡＭに書き込まれた映像データを書きかえる。具体的には、出力中の映像が周辺からだんだん所定の色で塗りつぶされていくように、ＶＲＡＭに書き込まれたデータを書き換える。または、出力中の映像が画面中央に向かって縮小していき、映像の縮小により生まれた周辺領域を所定の色で塗りつぶすように、ＶＲＡＭに書き込まれたデータを書き換える。そして、書き換えられたデータをディスプレイ（０４０７）に出力する。
【００６３】
その後、ＶＲＡＭ中のすべてのデータが塗りつぶしデータに書き換えられたら、新チャンネル映像が画面中央から拡大するようにＶＲＡＭに書き込まれた映像データを書きかえる。具体的処理は、前記と同様である。
<実施形態１の処理の流れ>
【００６４】
本実施形態のテレビシステムの処理の流れの一例を説明する。なお、リモコン装置の処理の流れについては、従来技術と同様であるので、ここでの説明は省略する。
【００６５】
以下、本実施形態のテレビ装置のチャンネル切替にともなう画面に出力する映像の切替処理の流れの一例を、図５のフローチャート図を用いて説明する。
【００６６】
まず、テレビ装置の電源がＯＮになっている場合、リモコン操作結果の受信待機状態となる。そして、チャンネル切替のためのリモコン操作結果を受信すると（Ｓ０５０１）、受信したリモコン操作結果のリモコン操作種別を判定する（Ｓ０５０２）。
【００６７】
判定の結果、リモコン操作種別が「直接チャンネル指定ボタンの操作」であった場合には（Ｓ０５０３）、元チャンネル映像が画面中央に向けて縮小し、新チャンネル映像が画面中央から拡大するようにリモコン操作に応じた映像切替処理を行う（Ｓ０５０４）。
【００６８】
一方、リモコン操作種別が「直接チャンネル指定ボタンの操作」でなかった場合には（Ｓ０５０３）、従来技術（「元チャンネルの映像のすべてを略同時に消去」→「画面を黒く表示」→「新チャンネルの映像のすべてを略同時に表示」）を利用し、リモコン操作に応じた映像切替処理を行う（Ｓ０５０５）。
【００６９】
その後、テレビ装置の電源がＯＦＦになるまで（Ｓ０５０６）、リモコン操作結果の受信待機状態となり、チャンネル切替のためのリモコン操作結果を受信すると前記処理を繰り返す（Ｓ０５０１〜Ｓ０５０５）。
【００７０】
なお、前記処理は、本実施形態の映像切替処理と、従来技術の映像切替処理を利用する処理について説明したが、その他、リモコン操作種別に応じて、以下の実施形態２〜５で説明するような映像切替処理を利用するようにしてもよい。いずれの映像処理を組み合わせて利用するかは任意の設計事項である。
<実施形態１の効果>
【００７１】
本実施形態のテレビ装置、および、テレビ装置とリモコン装置からなるテレビシステムにより、リモコン装置の直接チャンネル指定ボタンの操作（押下）によるチャンネル切替操作を行ったユーザは、テレビ装置の画面上の映像切替処理を見ることで、直感的に、自己がチャンネル切替のために行ったリモコン操作の種別（押下したボタンの種別）を把握することが可能となる。
【００７２】
また、チャンネル切替操作にともなうテレビ装置の画面上の映像切替処理を、従来にない新しい態様で行うことで、ユーザに対して新たな楽しみを提供することが可能となる。
<実施形態２の概要>
【００７３】
本実施形態のテレビ装置は、実施形態１を基本とし、さらに、リモコン装置からチャンネル切替のための指示信号として、チャンネルを順次切替えるための「上方向が関連付けられたボタン」の押下による指示信号を受信すると、チャンネル切替にともなう画面上の映像切替処理を、図６に示すように、元チャンネル映像が画面下から上に向かって徐々に隠れていき、新チャンネル映像が画面下から上に向かって徐々に現れるように表示する態様で映像切替を行うことを特徴とする。
【００７４】
ユーザは、テレビ装置の画面上における図６のような映像切替表示を見ることで、自己が行ったリモコン操作の種別を直感的に把握することが可能となる。また、従来にない映像切替表示を見ることができるので、チャンネル切替が楽しみになる。
<実施形態２の機能的構成>
【００７５】
図７は、本実施形態のテレビシステムの機能ブロックの一例を表す図である。この図にあるように、本実施形態の「テレビシステム」は「リモコン装置」（０７Ａ００）と「テレビ装置」（０７Ｂ００）とからなる。そして、「リモコン装置」（０７Ａ００）は「選択部」（０７Ａ０１）と「送信部」（０７Ａ０２）を有し、「テレビ装置」（０７Ｂ００）は「受信部」（０７Ｂ０１）と「判定部」（０７Ｂ０２）と「表示制御部」（０７Ｂ０３）を有し、「表示制御部」（０７Ｂ０３）は「第二表示制御手段」を有する。
【００７６】
以下、本実施形態の「テレビシステム」の「リモコン装置」（０７Ａ００）と「テレビ装置」（０７Ｂ００）の機能的構成について説明する。
<<リモコン装置（０７Ａ００）>>
【００７７】
本実施形態の「リモコン装置」（０７Ａ００）は、「選択部」（０７Ａ０１）と「送信部」（０７Ａ０２）を有する。
【００７８】
以下、「選択部」（０７Ａ０１）の機能的構成について説明する。なお、「送信部」（０７Ａ０２）は、実施形態１と同様であるので、ここでの詳細な説明は省略する。
【００７９】
「選択部」（０７Ａ０１）が有するチャンネル切替のための複数のボタン群の一部は、ＵＰ切替ボタンであるよう構成される。「ＵＰ切替ボタン」とは、上方向が関連付けられたボタン（図１、０１０２Ｕ）であり、チャンネル番号の小さいものから大きいものに順次チャンネルを切替えたり、または、チャンネル番号の大きいものから小さいものに順次チャンネルを切替えたりするために利用される（ＵＰ切替ボタンの押下により、前記いずれの処理が行われるかは任意の設計事項）。
【００８０】
選択部（０７Ａ０１）は、前記「ＵＰ切替ボタン」を含むチャンネル切替ボタン群を有するよう構成される。「チャンネル切替ボタン群」は、実施形態１においての説明と同様の概念である。
<<テレビ装置（０７Ｂ００）>>
【００８１】
本実施形態のテレビ装置（０７Ｂ００）は、「受信部」（０７Ｂ０１）と「判定部」（０７Ｂ０２）と「表示制御部」（０７Ｂ０３）を有し、「表示制御部」（０７Ｂ０３）は、「第二表示制御手段」を有する。
【００８２】
以下、「表示制御部」（０７Ｂ０３）の「第二表示制御手段」の機能的構成について説明する。なお、「受信部」（０７Ｂ０１）と「判定部」（０７Ｂ０２）は、実施形態１と同様であるので、ここでの詳細な説明は省略する。
【００８３】
「表示制御部」（０７Ｂ０３）の「第二表示制御手段」は、リモコン操作種別がＵＰ切替ボタンの操作であるとの判定結果である場合には、リモコン操作結果に応じた映像切替処理を、元チャンネル映像が画面下から上に向かって徐々に隠れていき、新チャンネル映像が画面下から上に向かって徐々に現れるように制御するよう構成される。
【００８４】
ここで、図６に、リモコン操作種別がＵＰ切替ボタンの操作である場合の映像切替処理の例を示す。図６は、矢印で時間の流れを示している。
【００８５】
図に示すように、第二表示制御手段は、リモコン操作種別がＵＰ切替ボタンの操作であるとの判定結果である場合には、まず、元チャンネル映像を画面下から上に向かって徐々に隠していき、そして、消滅させる。この間、画面上の元チャンネル映像は、番組映像をそのまま動画で表示していてもよいし、または、番組映像の静止画を表示していてもよい。静止画は、チャンネル切替指示信号を受信時のフレーム映像などにすることができる。
【００８６】
その後、新チャンネル映像を画面下から上に向かって徐々に現していき、そして、全画面表示させる。この間、画面上の新チャンネル映像は、番組映像をそのまま動画で表示していてもよい。
【００８７】
なお、元チャンネル映像から新チャンネル映像への映像切替に要する所要時間は任意の設計事項である。しかし、あまり短すぎると、この映像切替の演出効果が薄れてしまう。一方、あまり長すぎると、映像切替の待ち時間が長くなり、ユーザに不快感を与えてしまう恐れがある。そこで、例えば、１．５秒などとしてもよい。
【００８８】
また、映像を隠す機能を有する「塗りつぶし」の色は任意の設計事項であり、黒、灰色、赤、青、白、などあらゆる色を利用することができる。また、単に塗りつぶしにするのでなく、模様を付してもよいし、または、塗りつぶしと文字・図形・写真などを組み合わせた一枚の画像で、チャンネル映像を隠すようにしてもよい。文字としては、例えば、「ＵＰ切替ボタン操作」、「７ＣＨ→６ＣＨに切替」などの情報であってもよい。また、図形や写真としては、リモコン装置の画像であって、操作されたボタンを点滅などで示したようなものであってもよい。
【００８９】
このような映像切替処理は、例えば、画面に表示される映像のデータが書き込まれるメモリ（ＶＲＡＭ、など）のデータ内容を書きかえることで実現することができる。
【００９０】
<実施形態２のハードウェア構成>
【００９１】
本実施形態のテレビシステムのハードウェア構成については、実施形態１のテレビシステムに準じて実現できるので、ここでの詳細な説明は省略する。
<実施形態２の処理の流れ>
【００９２】
本実施形態のテレビシステムの処理の流れの一例を説明する。なお、リモコン装置の処理の流れについては、従来技術と同様であるので、ここでの説明は省略する。
【００９３】
以下、本実施形態のテレビ装置のチャンネル切替にともなう画面に出力する映像の切替処理の流れの一例を、図８のフローチャート図を用いて説明する。
【００９４】
まず、テレビ装置の電源がＯＮになっている場合、リモコン操作結果の受信待機状態となる。そして、チャンネル切替のためのリモコン操作結果を受信すると（Ｓ０８０１）、受信したリモコン操作結果のリモコン操作種別を判定する（Ｓ０８０２）。
【００９５】
判定の結果、リモコン操作種別が「ＵＰ切替ボタンの操作」であった場合には（Ｓ０８０３）、元チャンネル映像が画面下から上に向かって徐々に隠れていき、新チャンネル映像が画面下から上に向かって徐々に現れるようにリモコン操作に応じた映像切替処理を行う（Ｓ０８０４）。
【００９６】
一方、リモコン操作種別が「ＵＰ切替ボタンの操作」でなかった場合で（Ｓ０８０３）、リモコン操作種別が「直接チャンネル指定ボタンの操作」であった場合には（Ｓ０８０５）、元チャンネル映像が画面中央に向けて縮小し、新チャンネル映像が画面中央から拡大するようにリモコン操作に応じた映像切替処理を行う（Ｓ０８０６）。
【００９７】
一方、リモコン操作種別が「ＵＰ切替ボタンの操作」でなかった場合で（Ｓ０８０３）、「直接チャンネル指定ボタンの操作」でもなかった場合には（Ｓ０８０５）、従来技術（「元チャンネルの映像のすべてを略同時に消去」→「画面を黒く表示」→「新チャンネルの映像のすべてを略同時に表示」）を利用し、リモコン操作に応じた映像切替処理を行う（Ｓ０８０７）。
【００９８】
その後、テレビ装置の電源がＯＦＦになるまで（Ｓ０８０８）、リモコン操作結果の受信待機状態となり、チャンネル切替のためのリモコン操作結果を受信すると前記処理を繰り返す（Ｓ０８０１〜Ｓ０８０７）。
【００９９】
なお、前記処理は、本実施形態の映像切替処理と、実施形態１で説明した映像切替処理と従来技術の映像切替処理を利用する処理について説明したが、その他、リモコン操作種別に応じて、以下の実施形態３〜５で説明するような映像切替処理を利用するようにしてもよい。いずれの映像処理を組み合わせて利用するかは任意の設計事項である。
<実施形態２の効果>
【０１００】
本実施形態のテレビ装置、および、テレビ装置とリモコン装置からなるテレビシステムにより、リモコン装置のＵＰ切替ボタンの操作（押下）によるチャンネル切替操作を行ったユーザは、テレビ装置の画面上の映像切替処理を見ることで、直感的に、自己がチャンネル切替のために行ったリモコン操作の種別（押下したボタンの種別）を把握することが可能となる。
【０１０１】
また、チャンネル切替操作にともなうテレビ装置の画面上の映像切替処理を、従来にない新しい態様で行うことで、ユーザに対して新たな楽しみを提供することが可能となる。
<実施形態３の概要>
【０１０２】
本実施形態のテレビ装置は、実施形態１などを基本とし、さらに、リモコン装置からチャンネル切替のための指示信号として、チャンネルを順次切替えるための「下方向が関連付けられたボタン」の押下による指示信号を受信すると、チャンネル切替にともなう画面上の映像切替処理を、図９に示すように、元チャンネル映像が画面上から下に向かって徐々に隠れていき、新チャンネル映像が画面上から下に向かって徐々に現れるように表示する態様で映像切替を行うことを特徴とする。
【０１０３】
ユーザは、テレビ装置の画面上における図９のような映像切替表示を見ることで、自己が行ったリモコン操作の種別を直感的に把握することが可能となる。また、従来にない映像切替表示を見ることができるので、チャンネル切替が楽しみになる。
<実施形態３の機能的構成>
【０１０４】
図１０は、本実施形態のテレビシステムの機能ブロックの一例を表す図である。この図にあるように、本実施形態の「テレビシステム」は「リモコン装置」（１０Ａ００）と「テレビ装置」（１０Ｂ００）とからなる。そして、「リモコン装置」（１０Ａ００）は「選択部」（１０Ａ０１）と「送信部」（１０Ａ０２）を有し、「テレビ装置」（１０Ｂ００）は「受信部」（１０Ｂ０１）と「判定部」（１０Ｂ０２）と「表示制御部」（１０Ｂ０３）を有し、「表示制御部」（１０Ｂ０３）は「第三表示制御手段」を有する。
【０１０５】
以下、本実施形態の「テレビシステム」の「リモコン装置」（１０Ａ００）と「テレビ装置」（１０Ｂ００）の機能的構成について説明する。
<<リモコン装置（１０Ａ００）>>
【０１０６】
本実施形態の「リモコン装置」（１０Ａ００）は、「選択部」（１０Ａ０１）と「送信部」（１０Ａ０２）を有する。
【０１０７】
以下、「選択部」（１０Ａ０１）の機能的構成について説明する。なお、「送信部」（１０Ａ０２）は、実施形態１と同様であるので、ここでの詳細な説明は省略する。
【０１０８】
「選択部」（１０Ａ０１）が有するチャンネル切替のための複数のボタン群の一部は、ＤＯＷＮ切替ボタンであるよう構成される。「ＤＯＷＮ切替ボタン」とは、下方向が関連付けられたボタン（図１、０１０２Ｄ）であり、チャンネル番号の小さいものから大きいものに順次チャンネルを切替えたり、または、チャンネル番号の大きいものから小さいものに順次チャンネルを切替えたりするために利用される（ＤＯＷＮ切替ボタンの押下により、前記いずれの処理が行われるかは任意の設計事項）。
【０１０９】
選択部（１０Ａ０１）は、前記「ＤＯＷＮ切替ボタン」を含むチャンネル切替ボタン群を有するよう構成される。「チャンネル切替ボタン群」は、実施形態１においての説明と同様の概念である。
<<テレビ装置（１０Ｂ００）>>
【０１１０】
本実施形態のテレビ装置（１０Ｂ００）は、「受信部」（１０Ｂ０１）と「判定部」（１０Ｂ０２）と、「表示制御部」（１０Ｂ０３）を有し、「表示制御部」（１０Ｂ０３）は「第三表示制御手段」を有する。
【０１１１】
以下、「表示制御部」（１０Ｂ０３）の「第三表示制御手段」の機能的構成について説明する。なお、「受信部」（１０Ｂ０１）と「判定部」（１０Ｂ０２）は、実施形態１と同様であるので、ここでの詳細な説明は省略する。
【０１１２】
「表示制御部」（１０Ｂ０３）の「第三表示制御手段」は、リモコン操作種別がＤＯＷＮ切替ボタンの操作であるとの判定結果である場合には、リモコン操作結果に応じた映像切替処理を、元チャンネル映像が画面上から下に向かって徐々に隠れていき、新チャンネル映像が画面上から下に向かって徐々に現れるように制御するよう構成される。
【０１１３】
ここで、図９に、リモコン操作種別がＤＯＷＮ切替ボタンの操作である場合の映像切替処理の例を示す。図９は、矢印で時間の流れを示している。
【０１１４】
図に示すように、第三表示制御手段は、リモコン操作種別がＤＯＷＮ切替ボタンの操作であるとの判定結果である場合には、まず、元チャンネル映像を画面上から下に向かって徐々に隠していき、そして、消滅させる。この間、画面上の元チャンネル映像は、番組映像をそのまま動画で表示していてもよいし、または、番組映像の静止画を表示していてもよい。静止画は、チャンネル切替指示信号を受信時のフレーム映像などにすることができる。
【０１１５】
その後、新チャンネル映像を画面上から下に向かって徐々に現していき、そして、全画面表示させる。この間、画面上の新チャンネル映像は、番組映像をそのまま動画で表示していてもよい。
【０１１６】
なお、元チャンネル映像から新チャンネル映像への映像切替に要する所要時間は任意の設計事項である。しかし、あまり短すぎると、この映像切替の演出効果が薄れてしまう。一方、あまり長すぎると、映像切替の待ち時間が長くなり、ユーザに不快感を与えてしまう恐れがある。そこで、例えば、１．５秒などとしてもよい。
【０１１７】
また、映像を隠す機能を有する「塗りつぶし」の色は任意の設計事項であり、黒、灰色、赤、青、白、などあらゆる色を利用することができる。また、単に塗りつぶしにするのでなく、模様を付してもよいし、または、塗りつぶしと文字・図形・写真などを組み合わせた一枚の画像で、チャンネル映像を隠すようにしてもよい。文字としては、例えば、「ＤＯＷＮ切替ボタン操作」、「８ＣＨ→７ＣＨに切替」、などの情報であってもよい。また、図形や写真としては、リモコン装置の画像であって、操作されたボタンを点滅などで示したようなものであってもよい。
【０１１８】
このような映像切替処理は、例えば、画面に表示される映像のデータが書き込まれるメモリ（ＶＲＡＭ、など）のデータ内容を書きかえることで実現することができる。
【０１１９】
<実施形態３のハードウェア構成>
【０１２０】
本実施形態のテレビシステムのハードウェア構成については、実施形態１のテレビシステムに準じて実現できるので、ここでの詳細な説明は省略する。
<実施形態３の処理の流れ>
【０１２１】
本実施形態のテレビシステムの処理の流れの一例を説明する。なお、リモコン装置の処理の流れについては、従来技術と同様であるので、ここでの説明は省略する。
【０１２２】
以下、本実施形態のテレビ装置のチャンネル切替にともなう画面に出力する映像の切替処理の流れの一例を、図１１のフローチャート図を用いて説明する。
【０１２３】
まず、テレビ装置の電源がＯＮになっている場合、リモコン操作結果の受信待機状態となる。そして、チャンネル切替のためのリモコン操作結果を受信すると（Ｓ１１０１）、受信したリモコン操作結果のリモコン操作種別を判定する（Ｓ１１０２）。
【０１２４】
判定の結果、リモコン操作種別が「ＤＯＷＮ切替ボタンの操作」であった場合には（Ｓ１１０３）、元チャンネル映像が画面上から下に向かって徐々に隠れていき、新チャンネル映像が画面上から下に向かって徐々に現れるようにリモコン操作に応じた映像切替処理を行う（Ｓ１１０４）。
【０１２５】
一方、リモコン操作種別が「ＤＯＷＮ切替ボタンの操作」でなかった場合で（Ｓ１１０３）、「ＵＰ切替ボタンの操作」であった場合には（Ｓ１１０５）、元チャンネル映像が画面下から上に向かって徐々に隠れていき、新チャンネル映像が画面下から上に向かって徐々に現れるようにリモコン操作に応じた映像切替処理を行う（Ｓ１１０６）。
【０１２６】
一方、リモコン操作種別が「ＤＯＷＮ切替ボタンの操作」でなかった場合で（Ｓ１１０３）、「ＵＰ切替ボタンの操作」でもなかった場合で（Ｓ１１０５）、「直接チャンネル指定ボタンの操作」であった場合には（Ｓ１１０７）、元チャンネル映像が画面中央に向けて縮小し、新チャンネル映像が画面中央から拡大するようにリモコン操作に応じた映像切替処理を行う（Ｓ１１０８）。
【０１２７】
一方、リモコン操作種別が「ＤＯＷＮ切替ボタンの操作」でなかった場合で（Ｓ１１０３）、「ＵＰ切替ボタンの操作」でもなかった場合で（Ｓ１１０５）、「直接チャンネル指定ボタンの操作」でもなかった場合には（Ｓ１１０７）、従来技術（「元チャンネルの映像のすべてを略同時に消去」→「画面を黒く表示」→「新チャンネルの映像のすべてを略同時に表示」）を利用し、リモコン操作に応じた映像切替処理を行う（Ｓ１１０９）。
【０１２８】
その後、テレビ装置の電源がＯＦＦになるまで（Ｓ１１１０）、リモコン操作結果の受信待機状態となり、チャンネル切替のためのリモコン操作結果を受信すると前記処理を繰り返す（Ｓ１１０１〜Ｓ１１０９）。
【０１２９】
なお、前記処理は、本実施形態の映像切替処理と、実施形態１と２で説明した映像切替処理と従来技術の映像切替処理を利用する処理について説明したが、その他、リモコン操作種別に応じて、以下の実施形態４、５で説明するような映像切替処理を利用するようにしてもよい。または、本実施形態の映像切替処理と実施形態２の映像処理と従来技術の映像切替処理のみを利用するようにしてもよい。いずれの映像処理を組み合わせて利用するかは任意の設計事項である。
<実施形態３の効果>
【０１３０】
本実施形態のテレビ装置、および、テレビ装置とリモコン装置からなるテレビシステムにより、リモコン装置のＤＯＷＮ切替ボタンの操作（押下）によるチャンネル切替操作を行ったユーザは、テレビ装置の画面上の映像切替処理を見ることで、直感的に、自己がチャンネル切替のために行ったリモコン操作の種別（押下したボタンの種別）を把握することが可能となる。
【０１３１】
また、チャンネル切替操作にともなうテレビ装置の画面上の映像切替処理を、従来にない新しい態様で行うことで、ユーザに対して新たな楽しみを提供することが可能となる。
<実施形態４の概要>
【０１３２】
本実施形態のリモコン装置は、実施形態１などを基本とし、さらに、放送種別（地上アナログ、地上デジタル、ＣＳ、ＢＳ、など）を切替えるための「放送種別が関連付けられたボタン（以下、「放送種別選択ボタン」という）」を備えている。前記「放送種別選択ボタン」は、図１に示すように横一列に配列されている。なお、配列の順番は任意の設計事項である。
【０１３３】
そして、本実施形態のテレビ装置は、リモコン装置からチャンネル切替のための指示信号として、「放送種別選択ボタン」の押下による指示信号を受信すると、元放送種別（チャンネル切替前の映像の放送種別）の選択ボタンと、新放送種別（チャンネル切替後の映像の放送種別）の選択ボタンのリモコン装置上での位置関係を特定し、特定した位置関係に応じて、チャンネル切替にともなう画面上の映像切替処理を行うことを特徴とする。
【０１３４】
具体的には、新放送種別の選択ボタンが元放送種別の選択ボタンより右側にある場合には、チャンネル切替にともなう画面上の映像切替処理を、図１２に示すように、元放送種別の映像が画面左から右に向かって徐々に隠れていき、新放送種別の映像が画面左から右に向かって徐々に現れるように表示する態様で映像切替を行う。
【０１３５】
ユーザは、テレビ装置の画面上における図１２のような映像切替表示を見ることで、自己が行ったリモコン操作の種別を直感的に把握することが可能となる。また、従来にない映像切替表示を見ることができるので、チャンネル切替が楽しみになる。
<実施形態４の機能的構成>
【０１３６】
図１３は、本実施形態のテレビシステムの機能ブロックの一例を表す図である。この図にあるように、本実施形態の「テレビシステム」は「リモコン装置」（１３Ａ００）と「テレビ装置」（１３Ｂ００）とからなる。そして、「リモコン装置」（１３Ａ００）は「選択部」（１３Ａ０１）と「送信部」（１３Ａ０２）を有し、「テレビ装置」（１３Ｂ００）は「受信部」（１３Ｂ０１）と「判定部」（１３Ｂ０２）と「表示制御部」（１３Ｂ０３）を有し、「表示制御部」（１３Ｂ０３）は「第四表示制御手段」を有する。
【０１３７】
以下、本実施形態の「テレビシステム」の「リモコン装置」（１３Ａ００）と「テレビ装置」（１３Ｂ００）の機能的構成について説明する。
<<リモコン装置（１３Ａ００）>>
【０１３８】
本実施形態の「リモコン装置」（１３Ａ００）は、「選択部」（１３Ａ０１）と「送信部」（１３Ａ０２）を有する。
【０１３９】
以下、「選択部」（１３Ａ０１）の機能的構成について説明する。なお、「送信部」（１３Ａ０２）は、実施形態１と同様であるので、ここでの詳細な説明は省略する。
【０１４０】
「選択部」（１３Ａ０１）が有するチャンネル切替のための複数のボタン群の一部は、左右方向に配列された放送種別選択ボタンであるよう構成される。「放送種別選択ボタン」とは、放送種別（「地上波アナログ」、「地上波デジタル」、「ＢＳ放送」、「ＣＳ放送」など）が関連付けられたボタンであり、当該ボタンを押下することで、それぞれのボタンに関連付けられた放送種別のチャンネルに切替えることができる。本実施形態の放送種別選択ボタンは、図１に示すように、左右方向一列に配列される。なお、配列の順番は任意の設計事項であり、図１に示すものに限定されるものではない。
【０１４１】
選択部（１３Ａ０１）は、前記「放送種別選択ボタン」を含むチャンネル切替ボタン群を有するよう構成される。「チャンネル切替ボタン群」は、実施形態１においての説明と同様の概念である。
<<テレビ装置（１３Ｂ００）>>
【０１４２】
本実施形態のテレビ装置（１３Ｂ００）は、「受信部」（１３Ｂ０１）と「判定部」（１３Ｂ０２）と「表示制御部」（１３Ｂ０３）を有し、「表示制御部」（１３Ｂ０３）は「第四表示制御手段」を有する。
【０１４３】
以下、「表示制御部」（１３Ｂ０３）の「第四表示制御手段」機能的構成について説明する。なお、「受信部」（１３Ｂ０１）と「判定部」（１３Ｂ０２）は、実施形態１と同様であるので、ここでの詳細な説明は省略する。
【０１４４】
「表示制御部」（１３Ｂ０３）の「第四表示制御手段」は、リモコン操作種別が元放送種別の選択ボタン位置からみて右側の放送種別選択ボタンの操作であるとの判定結果である場合には、リモコン操作結果に応じた映像切替処理を、元放送種別の映像が画面左から右に向かって徐々に隠れていき、新放送種別の映像が画面左から右に向かって徐々に現れるように制御する。「元放送種別」とは、チャンネル切替前の映像の放送種別のことであり、「新放送種別」とはチャンネル切替後の映像の放送種別のことである。また、「元放送種別の選択ボタン位置からみて右側の放送種別選択ボタン」でいう位置関係は、リモコン装置上での操作ボタンの位置関係のことである。例えば、図１に示すように放送種別選択ボタンが配列されたリモコン装置の場合、元放送種別が「ＢＳ放送」であるならば、「元放送種別の選択ボタン位置からみて右側の放送種別選択ボタン」は、「ＣＳ放送」が関連付けられた放送種別選択ボタンのみが該当する。
【０１４５】
ここで、図１２に、リモコン操作種別が元放送種別の選択ボタン位置からみて右側の放送種別選択ボタンの操作（以下、「右側放送種別選択ボタンの操作」という）である場合の映像切替処理の例を示す。図１２は、矢印で時間の流れを示している。
【０１４６】
図に示すように、第四表示制御手段は、リモコン操作種別が右側放送種別選択ボタンの操作であるとの判定結果である場合には、まず、元放送種別の映像を画面左から右に向かって徐々に隠していき、そして、消滅させる。この間、画面上の元放送種別の映像は、番組映像をそのまま動画で表示していてもよいし、または、番組映像の静止画を表示していてもよい。静止画は、放送種別切替指示信号を受信時のフレーム映像などにすることができる。
【０１４７】
その後、新放送種別の映像を画面左から右に向かって徐々に現していき、そして、全画面表示させる。この間、画面上の新放送種別の映像は、番組映像をそのまま動画で表示していてもよい。
【０１４８】
なお、元放送種別の映像から新放送種別の映像への映像切替に要する所要時間は任意の設計事項である。しかし、あまり短すぎると、この映像切替の演出効果が薄れてしまう。一方、あまり長すぎると、映像切替の待ち時間が長くなり、ユーザに不快感を与えてしまう恐れがある。そこで、例えば、１．５秒などとしてもよい。
【０１４９】
また、映像を隠す機能を有する「塗りつぶし」の色は任意の設計事項であり、黒、灰色、赤、青、白、などあらゆる色を利用することができる。また、単に塗りつぶしにするのでなく、模様を付してもよいし、または、塗りつぶしと文字・図形・写真などを組み合わせた一枚の画像で、チャンネル映像を隠すようにしてもよい。文字としては、例えば、「放送種別選択ボタン操作」、「ＢＳ放送→ＣＳ放送へ切替」、などの情報であってもよい。また、図形や写真としては、リモコン装置の画像であって、操作されたボタンを点滅などで示したようなものであってもよい。
【０１５０】
このような映像切替処理は、例えば、画面に表示される映像のデータが書き込まれるメモリ（ＶＲＡＭ、など）のデータ内容を書きかえることで実現することができる。
【０１５１】
<実施形態４のハードウェア構成>
【０１５２】
本実施形態のテレビシステムのハードウェア構成については、実施形態１のテレビシステムに準じて実現できるので、ここでの詳細な説明は省略する。
<実施形態４の処理の流れ>
【０１５３】
本実施形態のテレビシステムの処理の流れの一例を説明する。なお、リモコン装置の処理の流れについては、従来技術と同様であるので、ここでの説明は省略する。
【０１５４】
以下、本実施形態のテレビ装置のチャンネル切替にともなう画面に出力する映像の切替処理の流れの一例を、図１４のフローチャート図を用いて説明する。
【０１５５】
まず、テレビ装置の電源がＯＮになっている場合、リモコン操作結果の受信待機状態となる。そして、チャンネル切替のためのリモコン操作結果を受信すると（Ｓ１４０１）、受信したリモコン操作結果のリモコン操作種別を判定する（Ｓ１４０２）。
【０１５６】
判定の結果、リモコン操作種別が「右側放送種別選択ボタンの操作」であった場合には（Ｓ１４０３）、元放送種別の映像が画面左から右に向かって徐々に隠れていき、新放送種別の映像が画面左から右に向かって徐々に現れるようにリモコン操作に応じた映像切替処理を行う（Ｓ１４０４）。
【０１５７】
一方、リモコン操作種別が「右側放送種別選択ボタンの操作」でなかった場合で（Ｓ１４０３）、「ＤＯＷＮ切替ボタンの操作」であった場合には（Ｓ１４０５）、元チャンネル映像が画面上から下に向かって徐々に隠れていき、新チャンネル映像が画面上から下に向かって徐々に現れるようにリモコン操作に応じた映像切替処理を行う（Ｓ１４０６）。
【０１５８】
一方、リモコン操作種別が「右側放送種別選択ボタンの操作」でなかった場合で（Ｓ１４０３）、「ＤＯＷＮ切替ボタンの操作」でもなかった場合で（Ｓ１４０５）、「ＵＰ切替ボタンの操作」であった場合には（Ｓ１４０７）、元チャンネル映像が画面下から上に向かって徐々に隠れていき、新チャンネル映像が画面下から上に向かって徐々に現れるようにリモコン操作に応じた映像切替処理を行う（Ｓ１４０８）。
【０１５９】
一方、リモコン操作種別が「右側放送種別選択ボタンの操作」でなかった場合で（Ｓ１４０３）、「ＤＯＷＮ切替ボタンの操作」でもなかった場合で（Ｓ１４０５）、「ＵＰ切替ボタンの操作」でもなかった場合で（Ｓ１４０７）、「直接チャンネル指定ボタンの操作」であった場合には（Ｓ１４０９）、元チャンネル映像が画面中央に向けて縮小し、新チャンネル映像が画面中央から拡大するようにリモコン操作に応じた映像切替処理を行う（Ｓ１４１０）。
【０１６０】
一方、リモコン操作種別が「右側放送種別選択ボタンの操作」でなかった場合で（Ｓ１４０３）、「ＤＯＷＮ切替ボタンの操作」でもなかった場合で（Ｓ１４０５）、「ＵＰ切替ボタンの操作」でもなかった場合で（Ｓ１４０７）、「直接チャンネル指定ボタンの操作」でもなかった場合には（Ｓ１４０９）、従来技術（「元チャンネルの映像のすべてを略同時に消去」→「画面を黒く表示」→「新チャンネルの映像のすべてを略同時に表示」）を利用し、リモコン操作に応じた映像切替処理を行う（Ｓ１４１１）。
【０１６１】
その後、テレビ装置の電源がＯＦＦになるまで（Ｓ１４１２）、リモコン操作結果の受信待機状態となり、チャンネル切替のためのリモコン操作結果を受信すると前記処理を繰り返す（Ｓ１４０１〜Ｓ１４１１）。
【０１６２】
なお、前記処理は、本実施形態の映像切替処理と、実施形態１〜３で説明した映像切替処理と従来技術の映像切替処理を利用する処理について説明したが、その他、リモコン操作種別に応じて、以下の実施形態５で説明するような映像切替処理を利用するようにしてもよい。いずれの映像処理を組み合わせて利用するかは任意の設計事項である。
<実施形態４の効果>
【０１６３】
本実施形態のテレビ装置、および、テレビ装置とリモコン装置からなるテレビシステムにより、リモコン装置に設けられた、元放送種別の選択ボタン位置からみて右側の放送種別選択ボタンの操作（押下）による放送種別切替操作を行ったユーザは、テレビ装置の画面上の映像切替処理を見ることで、直感的に、自己が行ったリモコン操作の種別（押下したボタンの種別）を把握することが可能となる。
【０１６４】
また、放送種別切替操作にともなうテレビ装置の画面上の映像切替処理を、従来にない新しい態様で行うことで、ユーザに対して新たな楽しみを提供することが可能となる。
<実施形態５の概要>
【０１６５】
本実施形態のリモコン装置は、実施形態１などを基本とし、さらに、放送種別（地上アナログ、地上デジタル、ＣＳ、ＢＳ、など）を切替えるための「各放送種別が関連付けられたボタン（以下、「放送種別選択ボタン」という）」を備えている。前記「放送種別選択ボタン」は、図１に示すように横一列に配列されている。なお、配列の順番は任意の設計事項である。
【０１６６】
そして、本実施形態のテレビ装置は、リモコン装置からチャンネル切替のための指示信号として、「放送種別選択ボタン」の押下による指示信号を受信すると、元放送種別（チャンネル切替前の映像の放送種別）の選択ボタンと、新放送種別（チャンネル切替後の映像の放送種別）の選択ボタンのリモコン装置上での位置関係を特定し、特定した位置関係に応じて、チャンネル切替にともなう画面上の映像切替処理を行うことを特徴とする。
【０１６７】
具体的には、新放送種別の選択ボタンが元放送種別の選択ボタンより左側にある場合には、チャンネル切替にともなう画面上の映像切替処理を、図１５に示すように、元放送種別の映像が画面右から左に向かって徐々に隠れていき、新放送種別の映像が画面右から左に向かって徐々に現れるように表示する態様で映像切替を行う。
【０１６８】
ユーザは、テレビ装置の画面上における図１５のような映像切替表示を見ることで、自己が行ったリモコン操作の種別を直感的に把握することが可能となる。また、従来にない映像切替表示を見ることができるので、チャンネル切替が楽しみになる。
<実施形態５の機能的構成>
【０１６９】
図１６は、本実施形態のテレビシステムの機能ブロックの一例を表す図である。この図にあるように、本実施形態の「テレビシステム」は「リモコン装置」（１６Ａ００）と「テレビ装置」（１６Ｂ００）とからなる。そして、「リモコン装置」（１６Ａ００）は「選択部」（１６Ａ０１）と「送信部」（１６Ａ０２）を有し、「テレビ装置」（１６Ｂ００）は「受信部」（１６Ｂ０１）と「判定部」（１６Ｂ０２）と「表示制御部」（１６Ｂ０３）を有し、「表示制御部」（１６Ｂ０３）は「第五表示制御手段」を有する。
【０１７０】
以下、本実施形態の「テレビシステム」の「リモコン装置」（１６Ａ００）と「テレビ装置」（１６Ｂ００）の機能的構成について説明する。
<<リモコン装置（１６Ａ００）>>
【０１７１】
本実施形態の「リモコン装置」（１６Ａ００）は、「選択部」（１６Ａ０１）と「送信部」（１６Ａ０２）を有する。
【０１７２】
なお、「選択部」（１６Ａ０１）と「送信部」（１６Ａ０２）は、実施形態１、４での説明と同様であるので、ここでの詳細な説明は省略する。
<<テレビ装置（１６Ｂ００）>>
【０１７３】
本実施形態のテレビ装置（１６Ｂ００）は、「受信部」（１６Ｂ０１）と「判定部」（１６Ｂ０２）と「表示制御部」（１６Ｂ０３）を有し、「表示制御部」（１６Ｂ０３）は「第五表示制御手段」を有する。
【０１７４】
以下、「表示制御部」（１６Ｂ０３）の「第五表示制御手段」の機能的構成について説明する。なお、「受信部」（１６Ｂ０１）と「判定部」（１６Ｂ０２）は、実施形態１と同様であるので、ここでの詳細な説明は省略する。
【０１７５】
「表示制御部」（１６Ｂ０３）の「第五表示制御手段」は、リモコン操作種別が元放送種別の選択ボタン位置からみて左側の放送種別選択ボタンの操作であるとの判定結果である場合には、リモコン操作結果に応じた映像切替処理を、元放送種別の映像が画面右から左に向かって徐々に隠れていき、新放送種別の映像が画面右から左に向かって徐々に現れるように制御する。「元放送種別」と、「新放送種別」の概念については、実施形態４においての説明と同様である。また、「元放送種別の選択ボタン位置からみて左側の放送種別選択ボタン」でいう位置関係についても同様に、リモコン装置上での操作ボタンの位置関係のことである。例えば、図１に示すように放送種別選択ボタンが配列されたリモコン装置の場合、元放送種別が「ＢＳ放送」であるならば、「元放送種別の選択ボタン位置からみて左側の放送種別選択ボタン」は、「地上Ａ（地上波アナログ放送）」、「地上Ｄ（地上波デジタル放送）」が関連付けられた放送種別選択ボタンのみが該当する。
【０１７６】
ここで、図１５に、リモコン操作種別が元放送種別の選択ボタン位置からみて左側の放送種別選択ボタンの操作（以下、「左側放送種別選択ボタンの操作」という）である場合の映像切替処理の例を示す。図１５は、矢印で時間の流れを示している。
【０１７７】
図に示すように、第五表示制御手段は、リモコン操作種別が左側放送種別選択ボタンの操作であるとの判定結果である場合には、まず、元放送種別の映像を画面右から左に向かって徐々に隠していき、そして、消滅させる。この間、画面上の元放送種別の映像は、番組映像をそのまま動画で表示していてもよいし。または、番組映像の静止画を表示していてもよい。静止画は、放送種別切替指示信号を受信時のフレーム映像などにすることができる。
【０１７８】
その後、新放送種別の映像を画面右から左に向かって徐々に現していき、そして、全画面表示させる。この間、画面上の新放送種別の映像は、番組映像をそのまま動画で表示していてもよい。
【０１７９】
なお、元放送種別の映像から新放送種別の映像への映像切替に要する所要時間は任意の設計事項である。しかし、あまり短すぎると、この映像切替の演出効果が薄れてしまう。一方、あまり長すぎると、映像切替の待ち時間が長くなり、ユーザに不快感を与えてしまう恐れがある。そこで、例えば、１．５秒などとしてもよい。
【０１８０】
また、映像を隠す機能を有する「塗りつぶし」の色は任意の設計事項であり、黒、灰色、赤、青、白、などあらゆる色を利用することができる。また、単に塗りつぶしにするのでなく、模様を付してもよいし、または、塗りつぶしと文字・図形・写真などを組み合わせた一枚の画像で、チャンネル映像を隠すようにしてもよい。文字としては、例えば、「放送種別選択ボタン操作」、「ＣＳ放送→ＢＳ放送へ切替」、などの情報であってもよい。また、図形や写真としては、リモコン装置の画像であって、操作されたボタンを点滅などで示したようなものであってもよい。
【０１８１】
このような映像切替処理は、例えば、画面に表示される映像のデータが書き込まれるメモリ（ＶＲＡＭ、など）のデータ内容を書きかえることで実現することができる。
【０１８２】
<実施形態５のハードウェア構成>
【０１８３】
本実施形態のテレビシステムのハードウェア構成については、実施形態１のテレビシステムに準じて実現できるので、ここでの詳細な説明は省略する。
<実施形態５の処理の流れ>
【０１８４】
本実施形態のテレビシステムの処理の流れの一例を説明する。なお、リモコン装置の処理の流れについては、従来技術と同様であるので、ここでの説明は省略する。
【０１８５】
以下、本実施形態のテレビ装置のチャンネル切替にともなう画面に出力する映像の切替処理の流れの一例を、図１７のフローチャート図を用いて説明する。
【０１８６】
まず、テレビ装置の電源がＯＮになっている場合、リモコン操作結果の受信待機状態となる。そして、チャンネル切替のためのリモコン操作結果を受信すると（Ｓ１７０１）、受信したリモコン操作結果のリモコン操作種別を判定する（Ｓ１７０２）。
【０１８７】
判定の結果、リモコン操作種別が「左側放送種別選択ボタンの操作」であった場合には（Ｓ１７０３）、元放送種別の映像が画面右から左に向かって徐々に隠れていき、新放送種別の映像が画面右から左に向かって徐々に現れるようにリモコン操作に応じた映像切替処理を行う（Ｓ１７０４）。
【０１８８】
一方、リモコン操作種別が「左側放送種別選択ボタンの操作」でなかった場合で（Ｓ１７０３）、「右側放送種別選択ボタンの操作」であった場合には（Ｓ１７０５）、元放送種別の映像が画面左から右に向かって徐々に隠れていき、新放送種別の映像が画面左から右に向かって徐々に現れるようにリモコン操作に応じた映像切替処理を行う（Ｓ１７０６）。
【０１８９】
一方、リモコン操作種別が「左側放送種別選択ボタンの操作」でなかった場合で（Ｓ１７０３）、「右側放送種別選択ボタンの操作」でもなかった場合で（Ｓ１７０５）、「ＤＯＷＮ切替ボタンの操作」であった場合には（Ｓ１７０７）、元チャンネル映像が画面上から下に向かって徐々に隠れていき、新チャンネル映像が画面上から下に向かって徐々に現れるようにリモコン操作に応じた映像切替処理を行う（Ｓ１７０８）。
【０１９０】
一方、リモコン操作種別が「左側放送種別選択ボタンの操作」でなかった場合で（Ｓ１７０３）、「右側放送種別選択ボタンの操作」でもなかった場合で（Ｓ１７０５）、「ＤＯＷＮ切替ボタンの操作」でもなかった場合で（Ｓ１７０７）、「ＵＰ切替ボタンの操作」であった場合には（Ｓ１７０９）、元チャンネル映像が画面下から上に向かって徐々に隠れていき、新チャンネル映像が画面下から上に向かって徐々に現れるようにリモコン操作に応じた映像切替処理を行う（Ｓ１７１０）。
【０１９１】
一方、リモコン操作種別が「左側放送種別選択ボタンの操作」でなかった場合で（Ｓ１７０３）、「右側放送種別選択ボタンの操作」でもなかった場合で（Ｓ１７０５）、「ＤＯＷＮ切替ボタンの操作」でもなかった場合で（Ｓ１７０７）、「ＵＰ切替ボタンの操作」でもなかった場合で（Ｓ１７０９）、「直接チャンネル指定ボタンの操作」であった場合には（Ｓ１７１１）、元チャンネル映像が画面中央に向けて縮小し、新チャンネル映像が画面中央から拡大するようにリモコン操作に応じた映像切替処理を行う（Ｓ１７１２）。
【０１９２】
一方、リモコン操作種別が「左側放送種別選択ボタンの操作」でなかった場合で（Ｓ１７０３）、「右側放送種別選択ボタンの操作」でもなかった場合で（Ｓ１７０５）、「ＤＯＷＮ切替ボタンの操作」でもなかった場合で（Ｓ１７０７）、「ＵＰ切替ボタンの操作」でもなかった場合で（Ｓ１７０９）、「直接チャンネル指定ボタンの操作」でもなかった場合には（Ｓ１７１１）、従来技術（「元チャンネルの映像のすべてを略同時に消去」→「画面を黒く表示」→「新チャンネルの映像のすべてを略同時に表示」）を利用し、リモコン操作に応じた映像切替処理を行う（Ｓ１７１３）。
【０１９３】
その後、テレビ装置の電源がＯＦＦになるまで（Ｓ１７１４）、リモコン操作結果の受信待機状態となり、チャンネル切替のためのリモコン操作結果を受信すると前記処理を繰り返す（Ｓ１７０１〜Ｓ１７１４）。
【０１９４】
なお、前記処理は、本実施形態の映像切替処理と、実施形態１〜４で説明した映像切替処理と従来技術の映像切替処理を利用する処理について説明したが、いずれの映像処理を組み合わせて利用するかは任意の設計事項である。
<実施形態５の効果>
【０１９５】
本実施形態のテレビ装置、および、テレビ装置とリモコン装置からなるテレビシステムにより、リモコン装置に設けられた、元放送種別の選択ボタン位置からみて左側の放送種別選択ボタンの操作（押下）による放送種別切替操作を行ったユーザは、テレビ装置の画面上の映像切替処理を見ることで、直感的に、自己が行ったリモコン操作の種別（押下したボタンの種別）を把握することが可能となる。
【０１９６】
また、放送種別切替操作にともなうテレビ装置の画面上の映像切替処理を、従来にない新しい態様で行うことで、ユーザに対して新たな楽しみを提供することが可能となる。
【図面の簡単な説明】
【０１９７】
【図１】リモコン装置の概念図
【図２】実施形態１のテレビシステムの機能ブロック図の一例
【図３】実施形態１のテレビシステムの映像切替処理を説明するための概念図
【図４】実施形態１のテレビ装置のハードウェア構成の一例を示した概念図
【図５】実施形態１のテレビ装置の処理の流れの一例を示すフローチャート図
【図６】実施形態２のテレビシステムの映像切替処理を説明するための概念図
【図７】実施形態２のテレビシステムの機能ブロック図の一例
【図８】実施形態２のテレビ装置の処理の流れの一例を示すフローチャート図
【図９】実施形態３のテレビシステムの映像切替処理を説明するための概念図
【図１０】実施形態３のテレビシステムの機能ブロック図の一例
【図１１】実施形態３のテレビ装置の処理の流れの一例を示すフローチャート図
【図１２】実施形態４のテレビシステムの映像切替処理を説明するための概念図
【図１３】実施形態４のテレビシステムの機能ブロック図の一例
【図１４】実施形態４のテレビ装置の処理の流れの一例を示すフローチャート図
【図１５】実施形態５のテレビシステムの映像切替処理を説明するための概念図
【図１６】実施形態５のテレビシステムの機能ブロック図の一例
【図１７】実施形態５のテレビ装置の処理の流れの一例を示すフローチャート図
【符号の説明】
【０１９８】
０２Ａ００    リモコン装置
０２Ａ０１    選択部
０２Ａ０２    送信部
０２Ｂ００    テレビ装置
０２Ｂ０１    受信部
０２Ｂ０２    判定部
０２Ｂ０３    表示制御部
【図１】
2010074299.tif 000003
【図２】
2010074299.tif 000004
【図３】
2010074299.tif 000005
【図４】
2010074299.tif 000006
【図５】
2010074299.tif 000007
【図６】
2010074299.tif 000008
【図７】
2010074299.tif 000009
【図８】
2010074299.tif 000010
【図９】
2010074299.tif 000011
【図１０】
2010074299.tif 000012
【図１１】
2010074299.tif 000013
【図１２】
2010074299.tif 000014
【図１３】
2010074299.tif 000015
【図１４】
2010074299.tif 000016
【図１５】
2010074299.tif 000017
【図１６】
2010074299.tif 000018
【図１７】
2010074299.tif 000019